(57)【要約】本発明は、スマートフォトニックレンズを利用して網膜下（ｓｕｂ−ｒｅｔｉｎａｌ）視神経に移植された光電素子を駆動させる電子薬システムに関する。本発明では、視神経に連結された光電素子にスマートフォトニックレンズの光を人為的に照射して、光電素子から発生する電流で神経を刺激して多様な疾患治療に活用することができる。
2021511085.tif 000002
【特許請求の範囲】
【請求項１】
ＬＥＤ光源を含むコンタクトレンズ；および電子薬デバイスを含み、
前記電子薬デバイスは、網膜下（ｓｕｂ−ｒｅｔｉｎａｌ）視神経に移植（ｉｍｐｌａｎｔ）され、
前記電子薬デバイスは、前記ＬＥＤ光源から照射された光を電気信号に変換する電子薬システム。
【請求項２】
神経刺激を通じて治療できる疾患の治療用である、請求項１に記載の電子薬システム。
【請求項３】
疾患は、アルツハイマーおよびパーキンソン病のような脳疾患；糖尿、肥満、高血圧のような代謝性疾患；関節炎；感染；炎症性疾患；および視神経疾患よりなるグループから選択されるものである、請求項２に記載の電子薬システム。
【請求項４】
コンタクトレンズは、シリコーンエラストマー（Ｓｉｌｉｃｏｎｅ  ｅｌａｓｔｏｍｅｒ）の弾性重合体；シリコーンハイドロゲル（Ｓｉｌｉｃｏｎｅ  ｈｙｄｒｏｇｅｌ）；ポリジメチルシロキサン（ＰＤＭＳ）；ポリ（２−ヒドロキシエチルメタクリレート）（ＰＨＥＭＡ）；およびポリエチレングリコールメタクリレート（ｐｏｌｙ（ｅｔｈｙｌｅｎｅ  ｇｌｙｃｏｌ）ｍｅｔｈａｃｒｙｌａｔｅ，ＰＥＧＭＡ）；よりなるグループから選択された一つ以上を基盤とするものである、請求項１に記載の電子薬システム。
【請求項５】
ＬＥＤ光源は、透明基板上に形成され、
前記透明基板は、パリレンＣ（Ｐａｒｙｌｅｎｅ  Ｃ）、ＰＤＭＳ、シリコーンエラストマー（Ｓｉｌｉｃｏｎｅ  ｅｌａｓｔｏｍｅｒ）、ポリエチレンテレフタレート（ＰＥＴ）およびポリイミド（ＰＩ）よりなるグループから選択された一つ以上を含むものである、請求項１に記載の電子薬システム。
【請求項６】
コンタクトレンズは、オンデマンド型半導体素子、アンテナおよびバッテリーよりなるグループから選択された一つ以上をさらに含むものである、請求項１に記載の電子薬システム。
【請求項７】
電子薬デバイスは、光電素子を含み、
前記光電素子は、ＬＥＤ光源から照射された光を電気信号に変換するものである、請求項１に記載の電子薬システム。
【請求項８】
光電素子は、視神経組織と連結されて、前記光電素子から発生した電流で神経を刺激するものである、請求項７に記載の電子薬システム。
【請求項９】
光電素子の電極からつながった配線に位置するバンプ（ｂｕｍｐ）と視神経組織が連結されるものである、請求項８に記載の電子薬システム。
【請求項１０】
電子薬システムは、スマートメガネをさらに含み、
前記スマートメガネから送信された電気的な信号を通じて駆動するものである、請求項１に記載の電子薬システム。
【請求項１１】
定められた時間にコンタクトレンズ内のＬＥＤ光源から電子薬デバイスに光を照射する段階；および
前記照射された光を電子薬デバイスの光電素子で電気信号に変換し、電流を発生させて視神経を刺激する段階を含み、
前記電子薬デバイスは、網膜下（ｓｕｂ−ｒｅｔｉｎａｌ）視神経に移植（ｉｍｐｌａｎｔ）される電子薬システムの駆動方法。
【請求項１２】
コンタクトレンズ内のＬＥＤ光源の駆動は、オンデマンド型半導体素子により制御されるものである、請求項１１に記載の電子薬システムの駆動方法。
【請求項１３】
スマートメガネをさらに含み、
前記スマートメガネの無線電気コイルで発生した無線電力は、コンタクトレンズのアンテナで受信され、オンデマンド型半導体素子の制御を通じて受信された電力をＬＥＤ光源の駆動に使用するものである、請求項１１に記載の電子薬システムの駆動方法。
【発明の詳細な説明】
【技術分野】
【０００１】
本発明は、スマートフォトニックレンズを利用した電子薬システムに関する。
【背景技術】
【０００２】
最近、電気刺激を通じて神経を刺激して疾患を治療する電子薬に対する研究が全世界的に活発に進行している（特許文献１）。
【０００３】
このような電子薬をアルツハイマー、パーキンソン病のような脳疾患；糖尿、肥満、高血圧のような代謝性疾患；関節炎；肝炎；炎症性疾患；および視神経疾患を含むほぼすべての疾患に適用するための多様な研究が進行されている。しかしながら、このような電子薬は、ほとんどが体内インプラント施術を必要とする侵襲的技術であって、患者体内移植手術が必要であり、体内駆動のための電源供給が難しく、使用可能な期間も制限的である。
【先行技術文献】
【特許文献】
【０００４】
【特許文献１】米国特許公開２０１８−００７１５３５号
【発明の概要】
【発明が解決しようとする課題】
【０００５】
本発明では、前述した従来の電子薬の問題点を解決するために、ＬＥＤ光源を含むコンタクトレンズを利用して網膜下（ｓｕｂ−ｒｅｔｉｎａｌ）視神経に移植された電子薬デバイスの光電素子を駆動させる電子薬システムを提供する。
【０００６】
本発明では、コンタクトレンズの光を視神経に連結された網膜下の光電素子に人為的に照射して、前記光電素子から発生する電気信号で神経を刺激して多様な疾患治療に活用しようとする。
【課題を解決するための手段】
【０００７】
本発明は、ＬＥＤ光源を含むコンタクトレンズ；および電子薬デバイスを含み、
前記電子薬デバイスは、網膜下（ｓｕｂ−ｒｅｔｉｎａｌ）視神経に移植（ｉｍｐｌａｎｔ）され、
前記電子薬デバイスは、前記ＬＥＤ光源から照射された光を電気信号に変換する電子薬システムを提供する。
【０００８】
また、本発明は、定められた時間にコンタクトレンズ内のＬＥＤ光源から電子薬デバイスに光を照射する段階；および
前記照射された光を電子薬デバイスの光電素子で電気信号に変換し、電流を発生させて視神経を刺激する段階を含み、
前記電子薬デバイスは、網膜下（ｓｕｂ−ｒｅｔｉｎａｌ）視神経に移植（ｉｍｐｌａｎｔ）される電子薬システムの駆動方法を提供する。
【０００９】
また、本発明は、前述した電子薬システムを使用した疾病の治療方法を提供する。
【発明の効果】
【００１０】
本発明では、視神経に連結された電子薬デバイスにコンタクトレンズ中のＬＥＤ光源から発生した可視光線あるいは赤外線などの光を人為的に照射して、前記電子薬デバイスの光電素子から発生する電流で神経を刺激して多様な疾患の治療に活用することができる。
【００１１】
本発明は、電子薬デバイスに別途の電源供給源がなくても、駆動が可能であるという長所を有する。また、コンタクトレンズに含まれたＬＥＤ光源を介して光源を照射するので、レンズにおけるＬＥＤ光源の位置調節を通じて電子薬デバイスまで光源が安定的に到達することができ、時間および場所などに影響を受けず、電子薬システムを容易に使用することができる。また、ＬＥＤ光源を使用するので、波長別光源の選択が容易であり、光量を調節が可能であるという長所を有する。
【００１２】
本発明の電子薬システムは、アルツハイマーおよびパーキンソン病のような脳疾患；糖尿、肥満、高血圧のような代謝性疾患；関節炎；感染；炎症性疾患；および視神経疾患を含む神経刺激を通じて治療できる多様な疾患に適用可能である。
【図面の簡単な説明】
【００１３】
図１は、本発明によるコンタクトレンズのＬＥＤ光源を利用した電子薬システムを示す。
図２は、本発明によるオンデマンド半導体素子の設計および製作例を示す。
図３は、本発明によるコンタクトレンズの製造工程を示す。
図４は、本発明によるコンタクトレンズの設計図を示す。
図５は、本発明による柔軟性透明基板に製作した金パッドを示す。
図６は、本発明による柔軟性透明基板上のフリップ−チップボンディングおよびＬＥＤ光源のＡｇエポキシボンディング工程の写真を示す。
図７は、本発明による常用フォトダイオードと多重金バンプの形成および柔軟性透明基板に超小型光電素子を製作した写真を示す。
図８は、本発明によるＰＣＢ基板に超小型無線駆動モジュールを製作した写真を示す。
図９は、本発明によるコンタクトレンズの駆動例を示す。
図１０は、本発明によるコンタクトレンズの動物への適用例を示す。
図１１は、本発明によるコンタクトレンズと光電素子を利用した電子薬システムの光電流測定結果を示す。
【発明を実施するための最良の形態】
【００１４】
本発明は、ＬＥＤ光源を含むコンタクトレンズ；および電子薬デバイスを含み、
前記電子薬デバイスは、網膜下（ｓｕｂ−ｒｅｔｉｎａｌ）視神経に移植（ｉｍｐｌａｎｔ）され、
前記電子薬デバイスは、前記ＬＥＤ光源から照射された光を電気信号に変換する電子薬システムに関する。
【００１５】
以下、本発明の電子薬システムをより詳細に説明する。
【００１６】
本発明による電子薬システムは、神経刺激を通じて治療できる疾患の治療のために使用され得る。
【００１７】
前記神経刺激を通じて治療できる疾患は、特に制限されず、例えば、アルツハイマーおよびパーキンソン病のような脳疾患；糖尿、肥満、高血圧のような代謝性疾患；関節炎；感染；炎症性疾患；および視神経疾患よりなるグループから選択され得る。この際、視神経疾患の治療は、視力治療を意味する。
【００１８】
本発明の電子薬システムは、コンタクトレンズおよび電子薬デバイスを含む。
【００１９】
本発明においてコンタクトレンズは、シリコーンエラストマー（Ｓｉｌｉｃｏｎｅ  ｅｌａｓｔｏｍｅｒ）の弾性重合体；シリコーンハイドロゲル（Ｓｉｌｉｃｏｎｅ  ｈｙｄｒｏｇｅｌ）；ポリジメチルシロキサン（ＰＤＭＳ）；ポリ（２−ヒドロキシエチルメタクリレート）（ＰＨＥＭＡ）；およびポリエチレングリコールメタクリレート（ｐｏｌｙ（ｅｔｈｙｌｅｎｅ  ｇｌｙｃｏｌ）ｍｅｔｈａｃｒｙｌａｔｅ，ＰＥＧＭＡ）；よりなるグループから選択された一つ以上の高分子を基盤とすることができる。
【００２０】
本発明においてコンタクトレンズ（以下、スマートレンズと表現することができる。）は、ＬＥＤ光源（ＬＥＤ  ｌｉｇｈｔ  ｓｏｕｒｃｅ）を含む。
【００２１】
日常生活における光は、可視光線および紫外線であって、身体あるいは眼球内浸透される光量は非常に少ない。赤色光源および赤外線は、最大数ｃｍまで透過が可能で、体内細胞治療に用いられる。
【００２２】
本発明では、このような光源をコンタクトレンズに適用させて、前記光源を視神経まで安定的に伝達した。例えば、コンタクトレンズに含まれたＬＥＤ光源を瞳孔の中央に位置させて光を照射する場合、紫外線、青色、緑色および／または赤色光源などの光源は、視神経まで安定的に到達することができる。
【００２３】
一具体例において、ＬＥＤ光源は、マイクロＬＥＤ（ＭｉｃｒｏＬＥＤ、ｍＬＥＤ、μＬＥＤ）でありうる。
【００２４】
前記ＬＥＤ光源、すなわちマイクロＬＥＤは、当業界において一般的に使用される製品を使用することができ、または直接製作して使用することができる。
【００２５】
一具体例において、ＬＥＤ光源は、網膜に光を照射することができる。網膜下の電子薬デバイスでは、前記照射された光を電子信号に変換させるので、これを利用して疾病の治療に適用することができる。
【００２６】
一具体例において、ＬＥＤ光源は、使用目的によって特定の波長の光を放出するＬＥＤを選択して構成することができる。例えば、前記ＬＥＤ光源は、紫外線、青色、緑色、赤色および赤外線よりなるグループから選択された一つ以上の光源から構成され得る。
【００２７】
また、一具体例において、コンタクトレンズ内のＬＥＤ光源の位置は、特に制限されず、その位置を適切に調節することができる。例えば、網膜下に移植された電子薬デバイスの位置に合わせて前記ＬＥＤ光源の位置を調節することができ、具体的に、瞳孔の中央付近に位置させることができる。
【００２８】
本発明では、ＬＥＤ光源の人為的駆動が可能であり、またＬＥＤ光源の位置調節が可能であるので、波長別光源の選択および光量を調節して、眼球内所望の位置まで光（光源）  が到達するようにすることができる。
【００２９】
一具体例において、コンタクトレンズの内部には、透明基板が形成され得、前記ＬＥＤ光源は、透明基板上に形成され得る。
【００３０】
前記透明基板は、光透過性に優れ、柔軟であり、伸縮性を有することができる。また、透明基板は、生体適合性に優れた特性を有する。このような透明基板は、パリレンＣ（Ｐａｒｙｌｅｎｅ  Ｃ）ＰＤＭＳ、シリコーンエラストマー（Ｓｉｌｉｃｏｎｅ  ｅｌａｓｔｏｍｅｒ）、ポリエチレンテレフタレート（ＰＥＴ）およびポリイミド（ＰＩ）よりなるグループから選択された一つ以上を含むことができる。
【００３１】
一具体例において、ＬＥＤ光源は、前記透明基板上で眼球側方向の面に形成され得る。
【００３２】
本発明のコンタクトレンズは、前述したＬＥＤ光源の他にオンデマンド型半導体素子（ＡＳＩＣ，Ａｐｐｌｉｃａｔｉｏｎ  Ｓｐｅｃｉｆｉｃ  Ｉｎｔｅｇｒａｔｅｄ  Ｃｉｒｃｕｉｔ）、バッテリーおよびアンテナよりなるグループから選択された一つ以上をさらに含むことができる。
【００３３】
一具体例において、オンデマンド型半導体素子（ＡＳＩＣ）は、ＬＥＤ光源の無線制御および電力伝送などのために使用することができる。このようなオンデマンド型半導体は、１．デジタル制御（Ｄｉｇｉｔａｌ  ｃｏｎｔｒｏｌ）、２．緩和発振器（Ｒｅｌａｘａｔｉｏｎ  ｏｓｃｉｌｌａｔｏｒ）、３．キャリア周波数発生器（Ｃａｒｒｉｅｒ  ｆｒｅｑｕｅｎｃｙ  ｇｅｎｅｒａｔｏｒ）、４．バンドギャップ・リファレンス発生器（Ｂａｎｄｇａｐ  ｒｅｆｅｒｅｎｃｅ  ｇｅｎｅｒａｔｏｒ）、５．Ｖｄｄ発生器（Ｖｄｄ  ｇｅｎｅｒａｔｏｒ）などから構成され得る。前記オンデマンド型半導体は、目的する用途に合わせて製作して使用することができる。
【００３４】
一具体例において、バッテリーは、充電が可能であり、柔軟性を有する薄膜型バッテリーでありうる。前記薄膜型バッテリーを使用してンタクトレンズの無線駆動を可能にすることができ、外部でパワーを供給せずに動作可能なシステムを具現することもできる。
【００３５】
前記バッテリーは、コンタクトレンズを構成している素子に電力を供給することができる。また、反復的な曲げまたは変形にもバッテリーの破損がなく、レンズに適用したときに密封され、眼球内安定性を確保することができる。前記薄膜型バッテリーは、当業界において使用される製品を使用することができ、直接製作して使用することができる。
【００３６】
一具体例において、アンテナは、誘導電流および電磁界共鳴を通じて電力および信号を外部に送信および受信することができる。前記アンテナは、円形の構造を有する円形アンテナでありうる。
【００３７】
前記アンテナは、ナノ物質から構成され得、前記ナノ物質は、ナノ粒子である０次元物質；ナノワイヤー、ナノファイバーまたはナノチューブである１次元ナノ物質；およびグラフェン、ＭｏＳ２またはナノフレークである２次元ナノ物質よりなるグループから選択された一つ以上を含むことができる。
【００３８】
一具体例において、アンテナは、外部で発生したパワー、すなわち無線電力を受信するための無線電気アンテナおよびデータ通信のためのＲＦ（Ｒａｄｉｏ  Ｆｒｅｑｕｅｎｃｙ）アンテナから構成され得る。
【００３９】
特に、本発明では、無線電気アンテナを使用して、バッテリーの役割を補完することができる。前記無線電気アンテナは、後述するスマートメガネの無線電気コイルで発生したパワーを受信することができる。前記受信されたパワーは、オンデマンド型半導体素子の制御を通じてＬＥＤ光源の駆動などに使用することができる。
【００４０】
一具体例において、前述したオンデマンド型半導体素子、バッテリーおよびアンテナは、透明基板上に形成されて、製作および駆動を容易にすることができる。前記オンデマンド型半導体素子、バッテリーおよびアンテナは、透明基板上で眼球側方向の面、すなわちＬＥＤ光源と同じ面に形成され得る。
【００４１】
本発明の電子薬システムは、電子薬デバイスを含む。
【００４２】
本発明において電子薬デバイスは、患者に移植（インプラント、ｉｍｐｌａｎｔ）されて、患者の疾病および／または障害を治療するために、患者の神経に電気刺激を提供する機器を意味する。
【００４３】
一具体例において、電子薬デバイスは、網膜下（ｓｕｂ−ｒｅｔｉｎａｌ）視神経に移植され、前記視神経（視神経組織）と連結され得る。
【００４４】
一具体例において、電子薬デバイスは、光電素子を含む。
【００４５】
前記光電素子は、ＬＥＤ光源から照射された光（光源）を電子信号に変換する機能を行い、別途の電圧あるいは電流源がない状態でも電流を発生させることができる。
【００４６】
前記光電素子は、視神経組織と連結され得る。具体的に、光電素子の負（−）および／または正（＋）電極からつながった配線に位置するバンプ（ｂｕｍｐ）が視神経と連結され得る。この際、前記バンプとして金バンプを使用することができる。前記連結は、当業界の一般的な方法により行われ得る。
【００４７】
本発明では、視神経組織と連結された光電素子、すなわち電子薬システムをコンタクトレンズと連動することによって、人為的に視神経に電気刺激を付与することができる。したがって、本発明の電子薬デバイスを光電インプラントと表現することができる。
【００４８】
一具体例において、電子薬デバイスは、侵襲素子の駆動のための別途の回路および電力源が必要なく、単一素子である光電素子と連結部品だけから構成されて、必要な電流刺激を制御することができる。
【００４９】
また、本発明の電子薬システムは、スマートメガネをさらに含むことができる。
【００５０】
本発明においてスマートメガネは、無線で電気的な信号を送信または受信して、前記コンタクトレンズのＬＥＤ光源の駆動を調節することができる。前記スマートメガネの駆動電源は、充電が可能なリチウムイオンバッテリーを使用することができ、スマートメガネにあるブルートゥース(ｂｌｕｅｔｏｏｔｈ)モジュールを利用してスマート機器と無線通信を行うことができる。
【００５１】
前記スマートメガネは、スマートフォン、スマート時計またはＰＣとペアリングされ得る。パワーは、内蔵されたリチウムイオン電池を使用することができ、自己パワーリングのためにフォトセルが挿入され得る。前記スマートメガネの総重さは、２０ｇ未満であり、Ｗｉ−Ｆｉ  ８０２．１１ｂ／ｇ、Ｂｌｕｅｔｏｏｔｈ、ｍｉｃｒｏ  ＵＳＢが可能になり得る。
【００５２】
また、本発明は、前述した電子薬システムの製造方法に関する。前述したように、電子薬システムは、コンタクトレンズおよび電子薬デバイスを含む。
【００５３】
本発明においてＬＥＤ光源などを延伸基板上に構成する場合、コンタクトレンズは、（Ｓ１）ハンドリング基板上に水に溶解する犠牲層を形成する段階；
（Ｓ２）前記犠牲層上に透明基板を形成する段階；
（Ｓ３）前記透明基板上にＬＥＤ光源を形成する段階；および
（Ｓ４）前記ＬＥＤ光源が形成された透明基板をコンタクトレンズ内に転写させる段階を含むことができる。
【００５４】
段階（Ｓ１）は、ハンドリング基板（ｈａｎｄｌｉｎｇ  ｓｕｂｓｔｒａｔｅ）上に犠牲層を形成する段階である。
【００５５】
前記犠牲層は、ハンドリング基板と透明基板の間の接着層の役割を行うことができ、ＬＥＤ光源が形成された透明基板の転写（ｔｒａｎｓｆｅｒ）を助けることができる。このような犠牲層は、水に溶解することができると、特に制限されず、ポリビニルアルコール（ＰＶＡ）およびデキストラン（ＤＥＸＴＲＡＮ）よりなるグループから選択された一つ以上を含むことができる。
【００５６】
段階（Ｓ２）は、犠牲層上に透明基板を形成する段階であって、犠牲層は、接着剤の役割を行う。したがって、前記透明基板は、ハンドリング基板と容易に付着され得、以後工程で犠牲層の溶解を通じてハンドリング基板から容易に剥離され得る。
【００５７】
一具体例において透明基板は、光透過性に優れた材料を使用することができ、前述した種類を使用することができる。
【００５８】
段階（Ｓ３）は、透明基板上にＬＥＤ光源を形成する段階である。
【００５９】
一具体例において、ＬＥＤ光源は、人体適合性エポキシ、例えば、Ａｇエポキシなどを使用して透明基板に接合させることができる。
【００６０】
また、段階（Ｓ４）は、ＬＥＤ光源が形成された透明基板をコンタクトレンズ内に転写させる段階である。
【００６１】
犠牲層上に製作されたＬＥＤ光源は、生体親和的な水で犠牲層を溶かしながら転写（ｆｒａｎｓｆｅｒ）され得る。
【００６２】
また、本発明は、透明基板上にオンデマンド型半導体素子、バッテリおよびアンテナを形成する段階をさらに含むことができる。前記段階は、段階（Ｓ３）の実行時に行われ得る。
【００６３】
一具体例において、オンデマンド型半導体素子は、透明基板に金あるいはアルミニウムなどの金属を蒸着した後、フォトリソグラフィ工程を利用したエッチング方法により金属パッドを形成する段階；および
【００６４】
前記金属パッドにフリップ−チップボンディング工程を用いて素子を接合する段階を通じて製造され得る。
【００６５】
前記フリップ−チップボンディング工程では、非導電性接着剤を利用して超音波および熱圧着工程を用いて素子をボンディングすることができる。
【００６６】
一具体例において、バッテリーは、ＬＥＤ光源と同じ方法で透明基板に形成され得る。
【００６７】
また、一具体例において、アンテナは、（ａ１）透明基板上にパターニングのためのマスク物質を形成する段階；
（ａ２）前記マスク物質が形成された透明基板にナノ物質をリフト−オフ工程を用いてコーティングして、センサーおよび回路をパターニングする段階；および
（ａ３）前記パターニングされたセンサーおよび回路上にパッシベーション層を形成する段階を通じて製造され得る。
【００６８】
段階（ａ１）は、透明基板上にパターニングのためのマスク物質を形成する段階である。
【００６９】
前記マスク物質は、シャドウマスクの役割を行うことができ、マスク物質を使用してナノ物質をパターニングすることができる。このようなマスク物質としてフォトレジスト（Ｐｈｏｔｏｒｅｓｉｓｔ）に使用できる物質を使用することができ、具体的にＬＯＦ，ＡＺシリーズなどを使用することができる。
【００７０】
段階（ａ２）は、マスク物質が形成された透明基板にナノ物質をリフト−オフ工程を用いてコーティングして、センサーおよび回路をパターニングする段階である。
【００７１】
前記段階を通じてナノ物質のパターンを形成することができる。前記ナノ物質は、前述した種類を使用することができ、具体的に銀ナノワイヤーを使用することができる。
【００７２】
前記段階で製造されるナノ物質は、アンテナとして作用することができる。
【００７３】
また、前記段階で製造された回路は、ＬＥＤ光源、半導体素子、アンテナおよびバッテリーを連結する役割を行うことができる。
【００７４】
段階（ａ３）は、前記パターニングされたアンテナおよび回路上にパッシベーション層を形成する段階である。
【００７５】
前記パッシベーション層を形成してナノ物質の損失を防止し、電気的安定性を向上させることができる。
【００７６】
本発明において電子薬デバイスは、体内挿入のために光電素子を包装して製造することができる。この際、包装材料として生体適合性樹脂を使用することができ、前記生体適合性樹脂としてエチレンビニルアセテート（ＥＶＡ）、ポリウレタン（ＰＵＲ）、ポリアクリロニトリル（ＰＡＮ）、ポリ塩化ビニル（ＰＶＣ）を使用することができる。前記包装時に、光電流の効率の低下を防ぐために、吸光部分（ｗｉｎｄｏｗ）に蒸着されている無反射コーティング（ａｎｔｉｒｅｆｌｅｃｔｉｏｎ  ｃｏａｔｉｎｇ）処理部分を考慮して光波長ガイド（ｌｉｇｈｔ  ｗａｖｅｇｕｉｄｅ）処理を行うことができる。
【００７７】
また、本発明は、前述した電子薬システムの駆動方法に関する。
【００７８】
前記駆動方法は、定められた時間にコンタクトレンズ内のＬＥＤ光源から電子薬デバイスに光を照射する段階；および
前記照射された光を電子薬デバイスの光電素子で電気信号に変換し、電流を発生させて視神経を刺激する段階を含むことができる。
【００７９】
一具体例において、コンタクトレンズのＬＥＤ光源では、定められた時間に網膜下視神経に移植されている電子薬デバイスに光を照射することができる。また、電子薬デバイスの光電素子は、照射された光を電気信号に変換し、電流を発生させて視神経を刺激することができる（図１参照）。この際、ＬＥＤ光源の駆動または制御は、オンデマンド型半導体素子により行われ得る。
【００８０】
一具体例において、電子薬システムは、スマートメガネをさらに含むことができる。前記スマートメガネの無線電気コイルで発生したパワーである無線電力は、コンタクトレンズの無線電気アンテナで受信され、オンデマンド型半導体素子の制御を通じて受信されたパワーをＬＥＤ光源の駆動に使用することができる。
【００８１】
また、本発明は、前述した電子薬システムを使用した疾患の治療方法に関する。
【００８２】
本発明では、電子薬デバイスの光電素子においてコンタクトレンズのＬＥＤ光源から照射された光を電気信号に変換し、電流を発生させて視神経を刺激することによって、疾患を治療することができる。
【００８３】
前記疾患は、神経刺激を通じて治療できる疾患であって、例えば、アルツハイマーおよびパーキンソン病のような脳疾患；糖尿、肥満、高血圧のような代謝性疾患；関節炎；感染；炎症性疾患；視神経疾患よりなるグループから選択され得る。この際、視神経疾患の治療は、視力治療を意味する。
【発明を実施するための形態】
【００８４】
以下、本発明を下記実施例により詳細に説明する。ただし、下記実施例は、本発明を例示するものに過ぎず、本発明の内容が下記実施例に限定されるものではない。
【００８５】
実施例．
製造例１．コンタクトレンズの製造
（１）オンデマンド型半導体の設計および製作
ＬＥＤ光源の無線制御および電力伝送のために、１．デジタル制御（Ｄｉｇｉｔａｌ  ｃｏｎｔｒｏｌ）、２．緩和発振器（Ｒｅｌａｘａｔｉｏｎ  ｏｓｃｉｌｌａｔｏｒ）、３．キャリア周波数発生器（Ｃａｒｒｉｅｒ  ｆｒｅｑｕｅｎｃｙ  ｇｅｎｅｒａｔｏｒ）、４．バンドギャップ・リファレンス発生器（Ｂａｎｄｇａｐ  ｒｅｆｅｒｅｎｃｅ  ｇｅｎｅｒａｔｏｒ）、５．Ｖｄｄ発生器（Ｖｄｄ  ｇｅｎｅｒａｔｏｒ）などから構成された回路が含まれたオンデマンド型半導体素子が必要である。本オンデマンド型半導体素子を使用してコンタクトレンズの無線電力伝達および駆動が可能であり、電流および光照射タイミングの制御が可能である。光源は、紫外線、青色、緑色、赤色、赤外線発光ＬＥＤを適用することができる。
【００８６】
前記オンデマンド型半導体素子は、まず、コンピュータシミュレーション、レイアウト生成（Ｌａｙｏｕｔ  ｇｅｎｅｒａｔｉｏｎ）およびＴＣＡＤシミュレーションの段階を経て製作が可能であり、自体消費電力を考慮してＣＭＯＳ  ０．１８μｍ以下の工程で製作した（図２）。
【００８７】
（２）コンタクトレンズの製造
（１）で製作されたオンデマンド型半導体素子およびＬＥＤ光源を使用してコンタクトレンズを製造した。
前記コンタクトレンズの製造方法を図３に示した。図３のように、本発明のコンタクトレンズは、金属蒸着（Ｍｅｔａｌ  Ｄｅｐｏｓｉｔｉｏｎ）、フォトリソグラフィ（Ｐｈｏｔｏｌｉｔｈｏｇｒａｐｈｙ）、フリップ−チップボンディング（Ｆｌｉｐ  Ｃｈｉｐ  Ｂｏｎｄｉｎｇ）、ＬＥＤボンディング（ＬＥＤ  Ｂｏｎｄｉｎｇ）およびコンタクトレンズ製造（Ｃｏｎｔａｃｔ  Ｌｅｎｓ）工程を用いて製造された。
【００８８】
具体的に、３０μｍ以下の柔軟性透明基板に金あるいはアルミニウムなどの金属を２００〜５００ｎｍで蒸着した後、フォトリソグラフィ工程を利用した湿式／乾式エッチング方法を利用してパッドを形成した。その後、フリップ−チップボンディング（Ｆｌｉｐ−Ｃｈｉｐ  ｂｏｎｄｉｎｇ）工程を使用して、前記柔軟性透明基板上にオンデマンド型半導体素子を非伝導性接着剤を利用して超音波および熱圧着工程でボンディングした。ＬＥＤ光源、バッテリー、電圧および電流制御のためのコンデンサおよび抵抗などは、柔軟性プラスチック基板の耐熱性を考慮して人体適合性エポキシ（Ａｇ  ｅｐｏｘｙ）などを利用してボンディングした。
【００８９】
各素子が接合された透明基板は、レーザーカッター（Ｌａｓｅｒ  ｃｕｔｔｅｒ）などで素子部分だけを切削した後、人体適合性シリコーンエラストマー（Ｓｉ  ｅｌａｓｔｏｍｅｒ）などでレンズを製作した。
【００９０】
以後、アンテナおよびＲＦ伝送処理機能がある駆動ボードを通じてコンタクトレンズを駆動した。
【００９１】
本発明において図４は、本発明によるコンタクトレンズの設計図を示す。図４に示されたように、本発明では、ＬＥＤ光源、オンデマンド型半導体素子（ＡＳＩＣ  ＣＨＩＰ）、アンテナなどを含むコンタクトレンズを製造することができる。
【００９２】
また、図５は、本発明による柔軟性透明基板に製作した金パッドを示す。前記金パッドにフリップ−チップボンディング工程を用いて半導体素子を容易にボンディングすることができる。
【００９３】
また、図６は、柔軟性透明基板上のフリップ−チップボンディング（左側および中間写真）およびＬＥＤ光源などのＡｇエポキシボンディング後の写真（右側写真）を示す。図６より、透明基板上にパターニングボンディングされたオンデマンド型半導体素子のフリップ−チップボンディング結果を確認することができる。また、ＬＥＤ光源、コンデンサ、バッテリー、抵抗などの電子素子をＡｇエポキシを利用してボンディング後に作動状態を確認することができる。
【００９４】
製造例２．網膜下電子薬デバイスの製作
光電素子は、常用化された高性能フォトダイオードを使用して、光源の波長によって最適化された構造の素子を使用した。また、フォトダイオードは、目的および必要電流によって数十μｍから数ｍｍのサイズの製品を使用した。
【００９５】
前記光電素子の体内挿入のために生体適合性樹脂を利用した包装工程を行った。前記包装工程時に、光電流の効率の低下を防ぐために、吸光部分（ｗｉｎｄｏｗ）に蒸着されている無反射コーティング（ａｎｔｉｒｅｆｌｅｃｔｉｏｎ  ｃｏａｔｉｎｇ）処理部分を考慮して光波長ガイド（ｌｉｇｈｔ  ｗａｖｅｇｕｉｄｅ）処理を行った。また、視神経組織との連結のために、微細な金バンプ（ｇｏｌｄ  ｂｕｍｐ）を形成して、前記光電素子に多重連結した。
【００９６】
本発明において図７は、常用フォトダイオード（左側写真）と多重金バンプの形成（中間の二つの写真）および柔軟性基板に超小型光電素子の製作（右側写真）の例を示す。
【００９７】
図７に示されたように、柔軟な透明基板上に構成されたフォトダイオードおよび視神経と連結のために構成された金バンプを確認することができる。
【００９８】
製造例３．柔軟性超小型モジュールの開発
光電素子、シグナル増幅器、無線モジュール、バッテリーなど必須コンポーネントに対する回路構成で超小型モジュールを設計し、データ処理およびキャリブレーション（ｃａｌｉｂｒａｔｉｏｎ）、モード制御（ｍｏｄｅ  ｃｏｎｔｒｏｌ）機能は、ソフトウェアで処理した。
【００９９】
ＰＣＢおよび柔軟性基板（ＦＰＣＢ，Ｐｏｌｙｉｍｉｄｅ）から構成するとき、デバイスのサイズは、最小２０ｃｍ２程度に製作し、バンド型モジュールで製作した。メガネ用モジュールの場合、適用部位によって横、縦の比率を流動的に調節することができる。
【０１００】
図８は、ＰＣＢ基板に製作した超小型モジュールの設計および製作例を示す。
【０１０１】
図８に示されたように、ＰＣＢモジュール上、製作が可能であり、アンテナは、用途によって無線同軸ケーブルを利用して位置を調節することができる。本モジュールは、内蔵バッテリーあるいはＵＳＢ電源で動作することができる。
【０１０２】
また、図９は、コンタクトレンズの駆動例を示す。
【０１０３】
図９の左側写真は、ＬＥＤ光源、オンデマンド型半導体素子、アンテナを含むコンタクトレンズの写真である。中間および右側写真より、本実施例で製造されたコンタクトレンズのアンテナにモジュールを直接連結したりまたはケーブルに連結することによって、コンタクトレンズの駆動が可能であることを確認することができる。
【０１０４】
また、図１０は、本発明によるコンタクトレンズの動物への適用例を示す。
【０１０５】
実験用ウサギを対象にコンタクトレンズ実験を進行し、ＰＣＢモジュールとケーブルを通じて無線駆動が可能な赤色ＬＥＤ光源を含むコンタクトレンズの作動を確認することができる。
【０１０６】
実験例１．コンタクトレンズのＬＥＤ光源により光電素子で発生した光電流の測定
（１）方法
無線駆動モジュールを利用して、赤色ＬＥＤ光源を含むコンタクトレンズおよび光電素子の駆動を実施した。
【０１０７】
具体的に、本実験例では、コンタクトレンズの赤色ＬＥＤ光源を利用して石英キューベット（ｃｕｖｅｔｔｅ）に入れたヒツジ（ｓｈｅｅｐ）の血液に対する透過度実験を進めた。光源と光電素子は、２ｃｍ距離の間にサンプル血液を位置させて進めた。
【０１０８】
（２）結果
測定結果を図１１に示した。
【０１０９】
図１１は、コンタクトレンズの赤色ＬＥＤ光源により光電素子で発生した光電流を測定結果を示す。
【０１１０】
図１１に示されたように、キューベット内存在する血液を透過して発生した光電流は、約３０ｎＡであることが確認される。光電流は、光源との距離、フォトダイオードのサイズに比例することを確認することができる。
【産業上の利用可能性】
【０１１１】
本発明の電子薬システムは、アルツハイマーおよびパーキンソン病のような脳疾患；糖尿、肥満、高血圧のような代謝性疾患；関節炎；感染；炎症性疾患；および視神経疾患を含む神経刺激を通じて治療できる多様な疾患に適用可能である。
【図１】
2021511085.tif 000003
【図２】
2021511085.tif 000004
【図３】
2021511085.tif 000005
【図４】
2021511085.tif 000006
【図５】
2021511085.tif 000007
【図６】
2021511085.tif 000008
【図７】
2021511085.tif 000009
【図８】
2021511085.tif 000010
【図９】
2021511085.tif 000011
【図１０】
2021511085.tif 000012
【図１１】
2021511085.tif 000013
【国際調査報告】
2021511085.tif 000014
2021511085.tif 000015
2021511085.tif 000016
2021511085.tif 000017